(57)【要約】【課題】  可撓性の薄いシート状の光ディスクを記録再生できる薄型の記録再生装置を提供することを目的とする。【解決手段】  可撓性の薄いシート状の光ディスクを記録再生するために、記録再生装置１のターンテーブル３のクランプ部１５に円筒軸２０を挿入する。円筒軸２０に内周側に空気穴２２を開けたガラス円板２１とスペーサ２５と光ディスク３０を挿入する。キャップ３２で光ディスク３０を押圧する。キャップ３２は、中央部に設けた穴をターンテーブル３のクランプ爪１０に挿入しラジアル方向の押圧によって固定する。これにより、光ディスク３０は、ガラス円板２１で光ピックアップ４の焦点距離の補正と空気穴２２から外周にながれる空気流の流体効果により面振れなく回転可能となり記録再生ができる。【選択図】図２
2008186540.tif 000002
【特許請求の範囲】
【請求項１】
光ディスクを回転するターンテーブルのクランプ軸に挿入された前記光ディスクの中心穴をラジアル方向と垂直方向に押圧し、前記光ディスクを前記クランプ軸に固定するクランプ爪を有する光ディスク記録再生装置において、
前記クランプ軸に前記クランプ爪の先端位置より大きい外径を有する円筒軸を挿入し、前記円筒軸にガラス円板と薄い光ディスクを挿入したのち、中心部に前記クランプ爪の先端位置より小さい穴を設けたリング状のキャップをクランプ爪に挿入し、前記ガラス円板と前記薄い光ディスクを押圧して前記ターンテーブルに固定するようにしたことを特徴とする光ディスク記録再生装置。
【請求項２】
前記薄い光ディスクの上に前記ガラス円板を積層するようにした請求項１記載の光ディスク記録再生装置。
【請求項３】
光ディスクを回転するターンテーブルのクランプ軸に挿入された前記光ディスクの中心穴をラジアル方向と垂直方向に押圧し、前記光ディスクを前記クランプ軸に固定するクランプ爪を有する光ディスク記録再生装置において、
前記クランプ軸に前記クランプ爪の先端位置より大きい外径の円筒軸を挿入し、前記円筒軸にガラス円板と強磁性体のリングと薄い光ディスクを挿入したのち、外周部に永久磁石と中心部に穴を設けたリング状のキャップをクランプ爪に挿入し、前記永久磁石と前記強磁性体のリングとの吸引力で前記薄い光ディスクを前記ターンテーブルに固定するようにしたことを特徴とする光ディスク記録再生装置。
【請求項４】
前記ガラス円板をガラス円板以外の材質の回転安定円板にしたことを特徴とする請求項２記載の光ディスク記録再生装置。
【請求項５】
前記ターンテーブルに強磁性体を設け、前記円筒軸に前記薄い光ディスクと外径が前記薄い光ディスクとほぼ同じ大きさの回転安定円板を挿入し、前記永久磁石と前記ターンテーブルの前記強磁性体との吸引力で前記薄い光ディスクと前記回転安定円板を前記ターンテーブルに固定するようにしたことを特徴とする請求項３記載の光ディスク記録再生装置。
【請求項６】
光ディスクを回転するターンテーブルのクランプ軸に挿入された前記光ディスクの中心穴をラジアル方向と垂直方向に押圧し、前記光ディスクを前記クランプ軸に固定するクランプ爪を有する光ディスク記録再生装置において、
前記クランプ軸に前記クランプ爪の先端位置より大きい外径の円筒軸を挿入し、前記円筒軸に前記薄い光ディスクを挿入したのち、外径が前記薄い光ディスクとほぼ同じ大きさで中心部に前記クランプ爪の先端位置より小さい穴を設けた回転安定円板をクランプ爪に挿入し、前記薄い光ディスクを押圧して前記ターンテーブルに固定するようにしたことを特徴とする光ディスク記録再生装置。
【請求項７】
前記ガラス円板と光ディスクの間に隙間を空けるスペーサを設けたことを特徴とする請求項１乃至３のいずれかに記載の光ディスク記録再生装置。
【請求項８】
前記回転安定円板と光ディスクの間に隙間を空けるスペーサを設けたことを特徴とする請求項４乃至６のいずれかに記載の光ディスク記録再生装置。
【請求項９】
前記ガラス円板の内周側に空気を吸込む穴を開けたことを特徴とする請求項１乃至３のいずれかに記載の光ディスク記録再生装置。
【請求項１０】
前記回転安定円板の内周側に空気を吸込む穴を開けたことを特徴とする請求項４乃至６のいずれかに記載の光ディスク記録再生装置。
【請求項１１】
前記キャップの外周部の厚さ方向に段差を設け、取外しの手掛かりにしたことを特徴とする請求項１乃至１０のいずれかに記載の光ディスク記録再生装置。
【発明の詳細な説明】
【技術分野】
【０００１】
本発明は、可撓性を有するシート状の光ディスクをクランプ爪でターンテーブルに固定する記録再生装置に関するものである。
【背景技術】
【０００２】
このような可撓性を有するシート状の光ディスクの記録再生装置として特開２００４−１３４０１９号公報などがある。
【０００３】
特開２００４−１３４０１９号公報に記載のカートリッジには、カートリッジの中に光ディスクを積層、光ディスクの間にシートを挟んで積層および光ディスクを小カートリッジに入れて積層することが開示されている。また、カートリッジから積層した光ディスクを全部取りだしたのち、ローラにより外側から順に分離し、ローラにより搬送し回転軸にチャッキングして記録再生する記録再生装置が開示されている。
【０００４】
また、特開２００２−１７０３０７号公報には、図６，図７（図６のターンテーブルを上から見た図）に示すようにターンテーブル３のクランプ部１５に設けたばね９とクランプ爪１０，１１，１２で光ディスク５をラジアル方向と下方向に押圧しクランプ部１５に固定する薄型の記録再生装置１が開示されている。
【０００５】
【特許文献１】特開２００４−１３４０１９号公報
【特許文献２】特開２００２−１７０３０７号公報
【発明の開示】
【発明が解決しようとする課題】
【０００６】
可撓性を有するシート状の光ディスクを安定に記録再生するためには、光ディスクの記録再生面を振動させないで安定に回転させることが課題である。従来技術では、光ディスクの上側単独，下側単独および上下に安定板を配置して流体力のバランスにより振動を低減する方法が用いられていたが回転数が高速になると不安定になり振動が低減できない問題があった。
【０００７】
また、従来のシート状の光ディスク記録再生装置は、Blu−ray，ＤＶＤ，ＣＤ等の1.2
mm厚の光ディスクと互換性がない問題があった。
【０００８】
本発明の目的は、上記の課題を解決することを目的とするものであり、可撓性を有するシート状の光ディスクをクランプ爪でターンテーブルに固定する薄型の記録再生装置を提供することにある。
【課題を解決するための手段】
【０００９】
上記目的を達成するために、可撓性を有する薄いシート状の光ディスクを安定に回転させる方法として、剛性の高い円板と薄いシート状の光ディスクを重ねて回転させ光ディスクの記録再生面を振動させない方法を発見した。特に、円板の内周側に空気を吸込む穴を開けでシート状の薄い光ディスクと円板の間に空気を流すようにした。これにより、シート状の光ディスクと円板の間に負圧が発生しシート状の光ディスクが円板側に吸引されながら円板との隙間を保って回転することにより振動のない安定な回転が得られることが分かった。この方法を用いるとBlu−ray，ＤＶＤ，ＣＤ等の１.２mm 厚の光ディスクに用いられる記録再生装置でシート状の薄い光ディスクの記録再生ができることが分かった。
【００１０】
そこで、光ディスクの中心穴をラジアル方向と垂直方向に押圧し、前記光ディスクをターンテーブルのクランプ軸に固定するクランプ爪の先端位置より大きい外径を有する円筒軸を挿入し、前記円筒軸にガラス円板と薄い光ディスクを挿入したのち、中心部に前記クランプ爪の先端位置より小さい穴を設けたリング状のキャップをクランプ爪に挿入し、前記ガラス円板と前記薄い光ディスクを押圧して前記ターンテーブルに固定するようにした記録再生装置。
【００１１】
また、前記薄い光ディスクの上に前記ガラス円板を積層するようにしたBlu−ray対応の光ディスク記録再生装置。
【００１２】
また、前記クランプ軸に前記クランプ爪の先端位置より大きい外径の円筒軸を挿入し、前記円筒軸にガラス円板と強磁性体のリングと薄い光ディスクを挿入したのち、外周部に永久磁石と中心部に穴を設けたリング状のキャップをクランプ爪に挿入し、前記永久磁石と前記強磁性体のリングとの吸引力で前記薄い光ディスクを前記ターンテーブルに固定するようにした記録再生装置。
【００１３】
また、前記ガラス円板をガラス円板以外の材質の回転安定円板にした光ディスク記録再生装置。
【００１４】
また、前記ターンテーブルに強磁性体を設け、前記円筒軸に前記薄い光ディスクと外径が前記薄い光ディスクとほぼ同じ大きさの回転安定円板を挿入し、前記永久磁石と前記ターンテーブルの前記強磁性体との吸引力で前記薄い光ディスクと前記回転安定円板を前記ターンテーブルに固定するBlu−ray対応の光ディスク記録再生装置。
【００１５】
また、前記クランプ軸に前記クランプ爪の先端位置より大きい外径の円筒軸を挿入し、前記円筒軸に前記薄い光ディスクを挿入したのち、外径が前記薄い光ディスクとほぼ同じ大きさで中心部に前記クランプ爪の先端位置より小さい穴を設けた回転安定円板をクランプ爪に挿入し、前記薄い光ディスクを押圧して前記ターンテーブルに固定するようにしたBlu−ray対応の光ディスク記録再生装置。
【００１６】
また、前記ガラス円板と光ディスクの間に隙間を空けるスペーサを設けた光ディスク記録再生装置。
【００１７】
また、前記回転安定円板と光ディスクの間に隙間を空けるスペーサを設けた光ディスク記録再生装置。
【００１８】
また、前記ガラス円板の内周側に空気を吸込む穴を開けた光ディスク記録再生装置。
【００１９】
また、前記回転安定円板の内周側に空気を吸込む穴を開けた光ディスク記録再生装置。
【発明の効果】
【００２０】
本発明によれば、可撓性を有する薄いシート状の光ディスクを記録再生できる薄型の記録再生装置を提供できる。
【発明を実施するための最良の形態】
【００２１】
本発明の可撓性を有する薄いシート状の光ディスクを用いた記録再生装置の一実施例を図１乃至図２を用いて説明する。
【００２２】
図１は、薄いシート状の光ディスク３０（図２に示す）を記録再生装置１に装着する前の中央部の断面図である。
【００２３】
図１において、記録再生装置１は、記録再生装置本体２と、光ディスクを装着し回転させるためのターンテーブル３と、光ディスクに光を入射させて情報の読書きを行う光ピックアップ４と、ターンテーブル３を取り付けたスピンドルモータ回転軸７と、図７に示すようにターンテーブル３に１２０゜ごとに設けられた溝８と、ターンテーブル３に120゜ごとに設けられた溝８に挿入されたクランプ爪１０，１１および１２と、クランプ爪１０，１１および１２に押圧を与えるばね９と、光ディスクの挿入をスムーズにするためのテーパー部１３と、ガラス円板２１が回転時に滑らないようにターンテーブル３との摩擦力を確保するためのシート状のゴムリング１４と、ターンテーブル３の光ディスクを挿入するクランプ部１５と、クランプ部１５に挿入された円筒軸２０と、円筒軸２０に挿入されたガラス円板２１と、ガラス円板２１の内周側に開けられた空気穴２２と、ガラス円板
２１に取り付けられたスペーサ２５からなる。
【００２４】
なお、円筒軸２０は、クランプ部１５に挿入されるとクランプ爪によりラジアル方向と下側に押し付けられ固定される。なお、円筒軸２０の内径は、偏心しないようにクランプ部１５に嵌合する嵌め合い公差を有している。すなわち、標準光ディスクのクランプ部
１５の直径１５mmと嵌め合い公差を有する。また、円筒軸２０の外径は、円筒軸２０をクランプ部１５に挿入した状態でクランプ爪１０，１１および１２と接触しない大きさである。一例として、おおよそ直径１７mmと標準光ディスクの嵌め合い公差を有する。
【００２５】
図２は、記録再生装置１に薄いシート状の光ディスク３０を装着した時の中央部の断面図である。
【００２６】
図２において、光ディスク３０は、中央に円筒軸２０に挿入するためのクランプ穴がある。このクランプ穴は、偏心しないように円筒軸２０に嵌合する嵌め合い公差を有している。おおよそ直径１７mm近辺が好適である。スペーサ２５の上に載せられ円筒軸２０に挿入された光ディスク３０は、クランプ爪に挿入されたキャップ３２で上側から押圧され固定される。キャップ３２は、中空な円筒状の形をしており内側のくり貫き部の直径が円筒軸２０の内径と同じである。また、外周部には、シート状のゴムリング３３とターンテーブル３から取り外す時の手掛かりとなる突起部又は厚さ方向の段差３４を設けている。キャップ３２は、クランプ爪に挿入されるとクランプ爪の押圧でターンテーブル３に固定される。
【００２７】
これにより、ターンテーブル３が回転してもキャップ３２はクランプ爪から外れない効果がある。ゴムリング３３は、光ディスクが回転時に滑らないようにキャップ３２との摩擦力を確保するためのものである。なお、ゴムリング３３は、キャップ３２と同じ部材で一体に成形されたものでも良い。なお、記録再生は、ガラス円板２１を通して光ディスク３０の基材側から光を入射し記録再生を行うようにする。
【００２８】
なお、薄いシート状の光ディスクの一例は、おおよそ厚さ０.０５mm〜０.２mmのポリカーボネート樹脂，ポリエステル樹脂等の基材の片面に記録膜を設けたもので光ディスクのBlu−ray，ＣＤ，ＤＶＤ等の標準規格フォーマットで記録再生できるものである。両面の記録再生ディスクは、この片面の光ディスクの記録膜側を貼り合せたものである。また、基材側から光を入射して記録再生を行うようにする。
【００２９】
また、ガラス円板２１は、厚さの薄い光ディスクを市販のＤＶＤ，ＣＤドライブで記録再生するための焦点距離の補正と、可撓性の光ディスクを回転させた場合の面振れ振動を低減させるものである。そのため、ガラス円板２１の厚さは、おおよそ０.５〜０.６mmが好適である。また、可撓性の光ディスクを安定に回転させるために内周側に空気穴２２を設け内周から外周へ空気を流すようにする。これにより、負圧が発生し光ディスクは、ガラス円板２１側に吸寄せられガラス円板２１からわずかに浮いた状態で安定に回転できる。スペーサ２５は、ガラス円板２１と光ディスクとの初期隙間を与えるものである。なお、スペーサ２５を省くこともできる。
【００３０】
このように本発明によれば、市販のＤＶＤ，ＣＤの記録再生装置を用いて、可撓性の薄いシート状の光ディスクを記録再生できる効果がある。
【００３１】
図３は、薄いシート状の光ディスクを用いた記録再生装置１の他の一実施例を示す。図３は、図２の記録再生装置１と同様な構成であってBlu−ray対応の記録再生装置１の構成を示す。図３は、図２の記録再生装置１をBlu−ray対応に変更し、光ディスク３０とガラス円板２１との上下を逆にしたものである。また、ガラス円板２１を図５で説明する回転安定円板４５にすることもできる。そして、光ピックアップ４により光ディスク３０の基材側から光を入射して記録再生を行うようにする。
【００３２】
このように本発明によれば、市販のBlu−ray対応の記録再生装置を用いて、可撓性の薄いシート状の光ディスクを記録再生できる効果がある。
【００３３】
図４は、薄いシート状の光ディスクを用いた記録再生装置１の他の一実施例を示す。図４は、図２に示す記録再生装置１と同様な構成であって別方式のキャップ４０で光ディスク３０を固定する。キャップ４０は、中空な円筒状の形をしており内側のくり貫き部の径がクランプ爪１０，１１，１２に接触しない大きさである。また、外周部には、ヨーク
４３の突起部およびヨーク４３からギャップ４２で示す隙間を空けて永久磁石４１を設ける。さらに、外周部には、ターンテーブル３から取り外す時の手掛かりとなる突起部又は厚さ方向に段差４３を設けている。なお、ターンテーブル３に固定しスペーサ２５は強磁性体を使用する。
【００３４】
このようにして、キャップ４０が光ディスク３０の上に載せられると、永久磁石４１とヨーク４３によりギャップ４２で吸引力が発生する。そして、キャップ４０は、スペーサ２５の強磁性体に吸着する。よって、光ディスク３０は、ターンテーブル３に固定される。なお、ヨーク４３を省くこともできる。また、記録再生装置１をBlu−ray対応に変更し、ターンテーブル３に強磁性体を設ける。光ディスク３０の上にスペーサ２５とガラス円板２１又は図５で説明する回転安定円板４５を積層して、キャップ４０をターンテーブル３の強磁性体に吸着して使用することもできる。なお、スペーサ２５を省くこともできる。
【００３５】
このように本発明によれば、市販のBlu−ray，ＤＶＤ，ＣＤの記録再生装置を用いて、可撓性の薄いシート状の光ディスクを記録再生できる効果がある。
【００３６】
図５は、薄いシート状の光ディスクを用いた記録再生装置１の他の一実施例を示す。図５は、図３のBlu−ray対応の記録再生装置１の構成と同じであってキャップ３２の替わりに回転安定円板４５を用いて光ディスクを固定する。回転安定円板４５の中心に開けたクランプ穴の直径は、円筒軸２０の内径と同じである。回転安定円板４５は、クランプ爪に挿入されると光ディスク３０を下側へ押圧するとともにクランプ爪の押圧でターンテーブル３に固定される。これにより、ターンテーブル３が回転しても回転安定円板４５はクランプ爪から外れない効果がある。なお、回転安定円板４５の内周側に空気穴４６を設ける。これにより、前述で述べたガラス円板と同じ効果が得られ光ディスクは安定に回転する。スペーサ２５は、回転安定円板４５と光ディスクとの初期隙間を与えるものである。なお、回転安定円板４５は、金属，樹脂，光ディスクの基材等が使用できる。
【００３７】
このように本発明によれば、市販のBlu−ray対応の記録再生装置を用いて、可撓性の薄いシート状の光ディスクを記録再生できる効果がある。
【００３８】
なお、本発明の記録再生装置は、可撓性の薄いシート状の光ディスクと標準フォーマットの厚さ１.２mmの光ディスクの両方の記録再生を兼用できる。
【図面の簡単な説明】
【００３９】
【図１】本発明の薄型光ディスクの記録再生装置の一実施例を示す。
【図２】図１の記録再生状態を示す。
【図３】本発明の薄型光ディスクの記録再生装置の他の一実施例を示す。
【図４】本発明の薄型光ディスクの記録再生装置の他の一実施例を示す。
【図５】本発明の薄型光ディスクの記録再生装置の他の一実施例を示す。
【図６】従来のクランプ爪方式の記録再生装置を示す。
【図７】図６のターンテーブルを上から見た図を示す。
【符号の説明】
【００４０】
１  記録再生装置
２  記録再生装置本体
３  ターンテーブル
４  光ピックアップ
７  スピンドルモータ回転軸
８  溝
９  ばね
１０，１１  クランプ爪
１３  テーパー部
１４  ゴムリング
１５  クランプ部
２０  円筒軸
２１  ガラス円板
２２  空気穴
２５  スペーサ
３０  光ディスク
３２  キャップ
３３  ゴムリング
３４  突起部又は厚さ方向の段差
【図１】
2008186540.tif 000003
【図２】
2008186540.tif 000004
【図３】
2008186540.tif 000005
【図４】
2008186540.tif 000006
【図５】
2008186540.tif 000007
【図６】
2008186540.tif 000008
【図７】
2008186540.tif 000009